(57)【要約】【課題】出荷後に、非純正品の消耗品ユニットに対する印刷動作の制限設定の解除を容易に行うことができるようにして、出荷先の国や地域の事情変更に容易に対応することが可能な画像形成装置を提供する。【解決手段】消耗品ユニット８Ｙ、８Ｍ、８Ｃ、８Ｋ、１０Ｙ、１０Ｍ、１０Ｃ、１０Ｋは、非純正品を用いての印刷動作に関する印刷動作情報として、印刷許可情報か印刷制限情報の何れかを有している。純正・非純正判別手段２６により、装着された消耗品ユニットが非純正品であると判別された場合には、消耗品ユニットが有する前記印刷動作情報に基づいて、非純正品の消耗品ユニットを用いての印刷動作が許可されあるいは制限される。【選択図】図４
2008268455.tif 000002
【特許請求の範囲】
【請求項１】
印刷対象データを用紙に印刷する印刷動作を行う作像手段と、
交換可能に装着され、前記印刷動作の繰り返しによって消耗される消耗品を有する消耗品ユニットが、純正品であるか非純正品であるかを判別する純正・非純正判別手段と、
消耗品ユニットが、非純正品を用いての印刷動作に関する印刷動作情報として、印刷許可情報か印刷制限情報の何れを有しているかを判定する判定手段と、
前記純正・非純正判別手段により、装着された消耗品ユニットが非純正品であると判別された場合には、前記消耗品ユニットの印刷動作情報についての前記判定手段の判定結果に基づいて、非純正品の消耗品ユニットを用いての前記作像手段による印刷動作を許可しあるいは制限する制御手段と、
を備えたことを特徴とする画像形成装置。
【請求項２】
印刷動作の制限が、印刷の禁止である請求項１に記載の画像形成装置。
【請求項３】
印刷動作の制限が、実行可能な印刷モードの制限及び/又は印刷速度の制限である請求項１に記載の画像形成装置。
【請求項４】
画像形成装置に交換可能に装着され、前記画像形成装置の印刷動作の繰り返しによって消耗される消耗品を有する消耗品ユニットであって、
非純正品を用いての印刷動作に関する印刷動作情報として、印刷許可情報または印刷制限情報を記憶する記憶手段を備えたことを特徴とする消耗品ユニット。
【請求項５】
前記印刷動作情報は、前記記憶手段におけるデータの読み出しのみ可能な領域に記憶されている請求項４に記載の消耗品ユニット。
【請求項６】
印刷対象データを用紙に印刷する印刷動作を行うステップと、
交換可能に装着され、前記印刷動作の繰り返しによって消耗される消耗品を有する消耗品ユニットが、純正品であるか非純正品であるかを判別するステップと、
消耗品ユニットが、非純正品を用いての印刷動作に関する印刷動作情報として、印刷許可情報か印刷制限情報の何れを有しているかを判定するステップと、
装着された消耗品ユニットが非純正品であると判別された場合には、前記消耗品ユニットの印刷動作情報についての判定結果に基づいて、非純正品の消耗品ユニットを用いての印刷動作を許可しあるいは制限するステップと、
を備えたことを特徴とする画像形成装置の印刷制御方法。
【請求項７】
印刷対象データを用紙に印刷する印刷動作を行うステップと、
交換可能に装着され、前記印刷動作の繰り返しによって消耗される消耗品を有する消耗品ユニットが、純正品であるか非純正品であるかを判別するステップと、
消耗品ユニットが、非純正品を用いての印刷動作に関する印刷動作情報として、印刷許可情報か印刷制限情報の何れを有しているかを判定するステップと、
装着された消耗品ユニットが非純正品であると判別された場合には、前記消耗品ユニットが印刷許可情報か印刷制限情報の何れの情報を有しているかについての判定結果に基づいて、非純正品の消耗品ユニットを用いての印刷動作を許可しあるいは制限するステップと、
を画像形成装置のコンピュータに実行させるための印刷制御プログラム。
【発明の詳細な説明】
【技術分野】
【０００１】
この発明は、複写機、プリンタあるいはこれらの機能が集約された多機能デジタル複合機であるＭＦＰ（Multi Function Peripherals）等の画像形成装置、画像形成装置の印刷制御方法及び印刷制御プログラムに関する。
【背景技術】
【０００２】
上記のような画像形成装置には、トナーカートリッジやイメージングユニット等の消耗品ユニットが使用されている。これらの消耗品ユニットは、印刷動作が行われるたびに消耗されるトナーや感光体ドラム等の消耗品を有しており、消耗品が全て消費されたりあるいは寿命に達すると、新たな消耗品ユニットと交換される。
【０００３】
このような画像形成装置の消耗品ユニットに関しては、画像形成装置の製造メーカーにより提供される純正品と、いわゆるサードパーティと称される第三者により提供される非純正品が存在する。なお、非純正品は、使い終えた純正品の消耗品ユニットに、第三者が製造した新たな消耗品が充填されあるいは新たな消耗品と交換されることにより製造される場合が多く、互換消耗品ユニットとも呼ばれている。例えば、トナーカートリッジの場合には、トナーがなくなった純正品のトナーカートリッジを第三者が回収し、独自に生産したトナーを再充填し互換品として出荷される場合が多い。
【０００４】
一般的に、これら第三者が製造した消耗品は品質にばらつきがある場合があり、また装着される画像形成装置とのマッチング等に問題がある場合もある。
【０００５】
そこで、従来、非純正品の消耗品ユニットが画像形成装置に装着された場合には印刷を禁止する技術が提供されている（特許文献１参照）。
【特許文献１】特開２００３−１９５７０５号公報
【発明の開示】
【発明が解決しようとする課題】
【０００６】
ところで、近年、画像形成装置が多くの国や地域に出荷されており、出荷先によって非純正品の消耗品ユニットに対するユーザの嗜好、法規制等は様々である。例えば、ユーザが、価格が高くても品質の安定した純正品を好む傾向が強い国や地域の場合には、当該国・地域の法規制の範囲内で非純正品の消耗品ユニットを用いての印刷動作の禁止等の制限を設定して出荷することが好ましい。ユーザが誤って非純正品を使用した場合に、ユーザに不利益を与える恐れがあるからである。一方、ユーザが品質に多少の不安定性があっても価格の安い製品を好む傾向が強い国や地域の場合には、非純正品の消耗品ユニットを用いての印刷動作を許可する設定をして出荷することが好ましい。ユーザの自由な選択を妨げないためである。
【０００７】
さらに、国や地域ごとのユーザの嗜好や法規制等の事情は、常に一定ではなく将来的に変化する可能性がある。
【０００８】
しかるに、特許文献１に記載の技術では、非純正品の消耗品ユニットが装着されると印刷動作が禁止される設定が装置側でなされており、このため一旦出荷されると、出荷後に非純正品の消耗品ユニットに対する印刷動作の禁止設定を解除することがなかなか困難であった。
【０００９】
本発明は、上記実情に鑑みなされたものであり、出荷後に、非純正品の消耗品ユニットに対する印刷動作の制限設定の解除を容易に行うことができるようにして、出荷先の国や地域の事情変更に容易に対応することが可能な画像形成装置、画像形成装置の印刷制御方法及び印刷制御プログラムを提供することを課題とする。
【課題を解決するための手段】
【００１０】
上記課題は、以下の手段によって解決される。
（１）印刷対象データを用紙に印刷する印刷動作を行う作像手段と、交換可能に装着され、前記印刷動作の繰り返しによって消耗される消耗品を有する消耗品ユニットが、純正品であるか非純正品であるかを判別する純正・非純正判別手段と、消耗品ユニットが、非純正品を用いての印刷動作に関する印刷動作情報として、印刷許可情報か印刷制限情報の何れを有しているかを判定する判定手段と、前記純正・非純正判別手段により、装着された消耗品ユニットが非純正品であると判別された場合には、前記消耗品ユニットの印刷動作情報についての前記判定手段の判定結果に基づいて、非純正品の消耗品ユニットを用いての前記作像手段による印刷動作を許可しあるいは制限する制御手段と、を備えたことを特徴とする画像形成装置。
（２）印刷動作の制限が、印刷の禁止である請求項１に記載の画像形成装置。
（３）印刷動作の制限が、実行可能な印刷モードの制限及び/又は印刷速度の制限である請求項１に記載の画像形成装置。
（４）画像形成装置に交換可能に装着され、前記画像形成装置の印刷動作の繰り返しによって消耗される消耗品を有する消耗品ユニットであって、非純正品を用いての印刷動作に関する印刷動作情報として、印刷許可情報または印刷制限情報を記憶する記憶手段を備えたことを特徴とする消耗品ユニット。
（５）非純正品の消耗品ユニットを用いての印刷動作を許可するか又は禁止するかに関する情報は、前記記憶手段におけるデータの読み出しのみ可能な領域に記憶されている請求項４に記載の消耗品ユニット。
（６）印刷対象データを用紙に印刷する印刷動作を行うステップと、交換可能に装着され、前記印刷動作によって消耗される消耗品を有する消耗品ユニットが、純正品であるか非純正品であるかを判別するステップと、消耗品ユニットが、非純正品を用いての印刷動作に関する印刷動作情報として、印刷許可情報か印刷制限情報の何れを有しているかを判定するステップと、装着された消耗品ユニットが非純正品であると判別された場合には、前記消耗品ユニットの印刷動作情報についての判定結果に基づいて、非純正品の消耗品ユニットを用いての印刷動作を許可しあるいは制限するステップと、を備えたことを特徴とする画像形成装置の印刷制御方法。
（７）印刷対象データを用紙に印刷する印刷動作を行うステップと、交換可能に装着され、前記印刷動作によって消耗される消耗品を有する消耗品ユニットが、純正品であるか非純正品であるかを判別するステップと、消耗品ユニットが、非純正品を用いての印刷動作に関する印刷動作情報として、印刷許可情報か印刷制限情報の何れを有しているかを判定するステップと、装着された消耗品ユニットが非純正品であると判別された場合には、前記消耗品ユニットの印刷動作情報についての判定結果に基づいて、非純正品の消耗品ユニットを用いての印刷動作を許可しあるいは制限するステップと、を画像形成装置のコンピュータに実行させるための印刷制御プログラム。
【発明の効果】
【００１１】
前項（１）に記載の発明によれば、消耗品ユニットが、非純正品を用いての印刷動作に関する印刷動作情報として、印刷許可情報か印刷制限情報の何れかを有しており、装着された消耗品ユニットが非純正品であると判別された場合には、前記消耗品ユニットが印刷許可情報か印刷制限情報の何れを有しているかに基づいて、非純正品の消耗品ユニットを用いての印刷動作が許可され、あるいは制限される。このように、消耗品ユニットの印刷許可情報または印刷制限情報に基づいて、非純正品の消耗品ユニットを用いての印刷動作が許可されまたは制限されるから、非純正品の消耗品ユニットが装着された場合の印刷動作を制限する設定を、装置側で行う必要はなくなる。このため、印刷制限情報を有する消耗品ユニットを印刷許可情報を有する消耗品ユニットに変更するだけの簡単な対応で、出荷後に、非純正品の消耗品ユニットに対する印刷動作の制限の解除を容易に行うことができ、出荷先の国や地域の事情変更に容易に対応することができる。
【００１２】
また、製造段階において、画像形成装置として、出荷先に応じて非純正品の消耗品ユニットに対する印刷動作の制限設定を行ったものと行わないものを用意する必要はなくなるから、製造管理が楽になるという利点もある。
【００１３】
前項（２）に記載の発明によれば、消耗品ユニットが非純正品であると判別された場合に、消耗品ユニットが有する印刷動作情報に基づいて印刷動作が禁止される。
【００１４】
前項（３）に記載の発明によれば、消耗品ユニットが非純正品であると判別された場合に、消耗品ユニットが有する印刷動作情報に基づいて、実行可能な印刷モードの制限及び/又は印刷速度の制限が行われる。
【００１５】
前項（４）に記載の発明によれば、印刷制限情報を有する消耗品ユニットを印刷許可情報を有する消耗品ユニットに変更するだけの簡単な対応で、出荷後に、非純正品の消耗品ユニットを用いての印刷動作の制限設定の解除を容易に行うことができ、出荷先の国や地域の事情変更に容易に対応することができる消耗品ユニットとなしうる。
【００１６】
前項（５）に記載の発明によれば、印刷動作情報は、記憶手段におけるデータの読み出しのみ可能な領域に記憶されるので、記憶された当該情報の改竄を防ぐことが可能となる。
【００１７】
前項（６）に記載の発明によれば、消耗品ユニットが有する印刷動作情報に基づいて、非純正品の消耗品ユニットを用いての印刷動作が許可されまたは制限されるから、非純正品の消耗品ユニットが装着されると印刷動作を制限する設定を装置側で行う必要はなくなり、印刷制限情報を有する消耗品ユニットを印刷許可情報を有する消耗品ユニットに変更するだけの簡単な対応で、出荷後に、非純正品の消耗品ユニットに対する印刷動作の制限設定の解除を容易に行うことができ、出荷先の国や地域の事情変更に容易に対応することができる。
【００１８】
前項（７）に記載の発明によれば、消耗品ユニットが純正品であるか非純正品あるかの判別処理、消耗品ユニットが、非純正品を用いての印刷動作に関する印刷動作情報として、印刷許可情報か印刷制限情報の何れを有しているかの判定処理、及び消耗品ユニットが非純正品であると判別された場合に、非純正品の消耗品ユニットを用いての印刷動作を許可しあるいは制限する処理を、画像形成装置のコンピュータに実行させることができる。
【発明を実施するための最良の形態】
【００１９】
この発明の一実施形態を図面を用いて説明する。
【００２０】
図１は、この発明の一実施形態に係る画像形成装置の構成を示した図である。この実施形態では画像形成装置として多機能デジタル複合機であるＭＦＰ（Multi Function Peripherals）が使用されている。
【００２１】
図１に示すように、画像形成装置１は、スキャナ部２と、作像部３と、給紙部４と、排紙トレイ５等を備えている。
【００２２】
スキャナ部２は、ＣＣＤセンサ６を備え、自動原稿送り装置やプラテンガラス上（共に、図示せず）にセットされた原稿を読み取るものである。
【００２３】
作像部３は、スキャナ部２で読み取られた原稿の画像データや、外部から送信されてきたプリントデータ等を用紙に印字するという印字動作を行うものであり、この実施形態では、イメージングユニット１０Ｙ、１０Ｍ、１０Ｃ及び１０Ｋ、トナーカートリッジ８Ｙ、８Ｍ、８Ｃ及び８Ｋ、中間転写ベルト７、露光部１４、ポリゴンミラー１５、搬送ローラ１８、二次転写ローラ１９及び定着器２０等から構成されている。
【００２４】
イメージングユニット１０Ｙ、１０Ｍ、１０Ｃ及び１０Ｋは、静電潜像をトナーにより顕在化してトナー像を形成するためのものであり、イエロー（Ｙ）、マゼンタ（Ｍ）、シアン（Ｃ）、ブラック（Ｋ）の各色に対応してそれぞれ設けられている。各イメージングユニット１０Ｙ、１０Ｍ、１０Ｃ及び１０Ｋは、それぞれ、回転可能な感光体ドラム１１と、感光体ドラム１１を帯電させる帯電器１３と、感光体ドラム１１の表面に形成された静電潜像にトナーを付着させてトナー画像を形成する現像器１２等を備えており、これらの部品が１つのユニットとして構成されている。
【００２５】
前記イメージングユニット１０Ｙ、１０Ｍ、１０Ｃ及び１０Ｋに含まれる感光体ドラム１１等は、印刷動作が繰り返されることにより性能が徐々に劣化しやがては寿命に達する消耗品である。このため各イメージングユニット１０Ｙ、１０Ｍ、１０Ｃ及び１０Ｋは、前記消耗品が寿命に達すると新品のイメージングユニットと交換される消耗品ユニットであり、画像形成装置１に交換可能に装着されている。なお、交換は画像形成装置１の前扉２１を開くことにより行われる。また、各イメージングユニット１０Ｙ、１０Ｍ、１０Ｃ及び１０Ｋには、それぞれメモリチップ２２が備えられており、このメモリチップ２２には当該イメージングユニット１０Ｙ、１０Ｍ、１０Ｃ及び１０Ｋについての情報がそれぞれ登録されている。
【００２６】
トナーカートリッジ８Ｙ、８Ｍ、８Ｃ及び８Ｋは、それぞれイエロー（Ｙ）、マゼンタ（Ｍ）、シアン（Ｃ）、ブラック（Ｋ）の各色に対応したトナーを収容するものであり、各トナーを、対応するイメージングユニット１０Ｙ、１０Ｍ、１０Ｃ及び１０Ｋに供給する。
【００２７】
トナーカートリッジ８Ｙ、８Ｍ、８Ｃ及び８Ｋに収容された各色のトナーは、印刷動作が繰り返されることにより消費される消耗品である。このため前記の各トナーカートリッジ８Ｙ、８Ｍ、８Ｃ及び８Ｋは、前記トナーがなくなると新たなトナーカートリッジと交換される消耗品ユニットであり、画像形成装置１の前扉２１を開くことにより、交換可能に装着されている。また、各トナーカートリッジ８Ｙ、８Ｍ、８Ｃ及び８Ｋには、当該トナーカートリッジについての情報が登録されているメモリチップ９がそれぞれに備えられているが、詳しくは後述する。
【００２８】
中間転写ベルト７は、前記４個のイメージングユニット１０Ｙ、１０Ｍ、１０Ｃ及び１０Ｋの各感光体ドラム１１に形成された各色のトナー像を、重ね合わせ状態に一次転写されるものであり、駆動ローラ１６と従動ローラ１７とに掛け渡され、駆動ローラ１６の回転によって、一定方向に周回駆動される。
【００２９】
露光部１４は、各イメージングユニット１０Ｙ、１０Ｍ、１０Ｃ及び１０Ｋの帯電した感光体ドラム１１にレーザ光を照射することにより、感光体ドラム１１の表面に静電潜像を形成する。
【００３０】
ポリゴンミラー１５は、露光部１４から出射されたレーザ光を偏向して、感光体ドラム１１の表面を走査させる。
【００３１】
搬送ローラ１８は、給紙部４から供給された用紙を二次転写位置へと搬送するものである。また、二次転写ローラ１９は、前記搬送ローラ１８により搬送されてきた用紙に、前記中間転写ベルト７に一次転写されたトナー像を転写させるものであり、定着器２０は、用紙に転写されたトナー像を定着させるものである。
【００３２】
給紙部４は、用紙を種類毎に収納するものであり、印刷指示がなされると用紙が給紙部４から１枚ずつ取り出され、搬送ローラ１８によって二次転写位置へと搬送される。
【００３３】
排紙トレイ５には、定着器２０によりトナー像が定着された記録用紙が排出される。
【００３４】
図２は、画像形成装置１の電気的な構成を示すブロック図である。
【００３５】
図２に示すように、画像形成装置１は、前述したスキャナ部２、作像部３、前扉２１の他、ＭＦＰコントローラ部２６、エンジン制御部２７、記憶部２８、操作パネル部２９及び前扉開閉センサ３０を備えている。
【００３６】
前記スキャナ部２，作像部３，前扉２１については、既に説明したので、再度の説明は省略する。
【００３７】
ＭＦＰコントローラ部２６は、画像形成装置１の全体を統括的に制御するものであり、ＣＰＵ２６１及びＲＯＭ２６２等を備えている。
【００３８】
ＣＰＵ２６１は、ＲＯＭ２６２に格納されているプログラムを実行することにより、ＭＦＰコントローラ部２６が行う制御を実現する。具体的には、スキャナ部２、エンジン制御部２７、記憶部２８、操作パネル部２９等を制御するほか、この実施形態では次のような制御を行う。即ち、ＣＰＵ２６１は、エンジン制御部２７からの情報に基づいて、装着されているトナーカートリッジ８Ｙ、８Ｍ、８Ｃ及び８Ｋやイメージングユニット１０Ｙ、１０Ｍ、１０Ｃ、１０Ｋ等の消耗品ユニットが純正品であるか、非純正品であるかの判別を行う。この実施形態において、純正品とは、画像形成装置の製造メーカーにより提供されたものをいい、非純正品とは、画像形成装置の製造メーカー以外の第三者により提供されたものをいう。
【００３９】
また、ＣＰＵ２６１は非純正品の消耗品ユニットが装着されていることを判別すると、エンジン制御部２７を介して、トナーカートリッジ８Ｙ、８Ｍ、８Ｃ及び８Ｋのメモリチップ９やイメージングユニット１０Ｙ、１０Ｍ、１０Ｃ及び１０Ｋのメモリチップ２２から、非純正品を用いての印刷動作に関する印刷動作情報を読み出し、印刷動作情報が印刷許可情報か印刷制限情報の何れであるかの判定を行う。そして、その結果に基づいて、エンジン制御部２７を介して作像部３に対する印刷動作を制御する。
【００４０】
エンジン制御部２７は、ＭＦＰコントローラ部２６との間で通信を行い、ＭＦＰコントローラ部２６からのコマンドに従って作像部３による印刷動作を制御する。また、この実施形態では、エンジン制御部２７は、前扉２１の開閉を検知する前扉開閉センサ３０から、前扉２１の開閉がなされた旨の信号が送信されると、トナーカートリッジ８Ｙ、８Ｍ、８Ｃ及び８Ｋのメモリチップ９、さらにはイメージングユニット１０Ｙ、１０Ｍ、１０Ｃ、１０Ｋのメモリチップ２２と通信を行うことで後述する再生情報を読み出し、読み出した再生情報をＣＰＵ２６１に送出するものとなされている。
【００４１】
記憶部２８は、ハードディスクや不揮発性のメモリ等の記録媒体からなり、スキャナ部２によって読み取られた原稿の画像データやその他のデータ、各種プログラムなどを保存する。
【００４２】
操作パネル部２９は、ユーザが入力操作を行うとともに、各種の画面やメッセージなどをユーザに提供するためのものであり、テンキーやスタートキー等の複数のキーからなるキー入力部と、モード設定画面やメッセージ等を表示するタッチパネル式の表示部（いずれも図示せず）とを備えている。この実施形態では、トナーカートリッジ等の消耗品ユニットが非純正品である場合に、表示部に警告画面が表示されるものとなされている。
【００４３】
前扉開閉センサ３０は、前扉２１の開閉動作を検知するセンサであり、前扉２１の開閉動作を検知すると開閉検知信号をエンジン制御部２７に送信する。
【００４４】
次に、上述したトナーカートリッ８Ｙ、８Ｍ、８Ｃ及び８Ｋに備えられているメモリチップ９のアドレスマッピングについて、図３を参照して説明する。
【００４５】
メモリチップ９には、図３のメモリアドレスマッピング９１に示すように、アドレスの異なる４種類の記憶領域から構成され、それぞれ８ビットまでの情報の記憶が可能である。
【００４６】
アドレス００Ｈ〜１ＦＨの記憶領域は、製造時にデータが書き込まれているとそれ以降の書込みが禁止され、読み出しのみ可能な領域（ＲＯＭ領域）である。
【００４７】
この領域には、機種識別、充填されているトナー色を示す色識別、生産年月日、製造番号についての情報の他、非純正品のトナーカートリッジを用いての印刷動作を許可するか又は禁止するかについての印刷動作情報（図３では非純正消耗品動作情報と記されている）が書き込まれている。印刷動作情報としては、具体的には、図３のデータ定義テーブル９２に示すデータが書き込まれる。つまり、データ０１ｈが書き込まれると非純正品のトナーカートリッジを用いての印刷動作は許可される。つまり印刷許可情報が書き込まれる。一方、データ０２ｈが書き込まれると非純正品のトナーカートリッジを用いての印刷動作は禁止されるものとなされている。つまり印刷制限情報が書き込まれる。
【００４８】
このように、非純正品のトナーカートリッジを用いての印刷動作を許可するか又は制限するかについての印刷動作情報が、メモリチップ９のＲＯＭ領域に記憶されているから、前記印刷動作情報の改竄を防ぐことが可能となる。
【００４９】
アドレス２０Ｈ〜３ＦＨの記憶領域は、画像形成装置１が一度だけ書き換え可能な領域（ＯＴＰ領域）であり、再生情報についての情報等が書き込まれている。再生情報とは、トナーカートリッジ８Ｙ、８Ｍ、８Ｃ又は８Ｋが過去に、収容されているトナーが消耗されて空になったことがあるか否かを示す情報である。この再生情報はトナーカートリッジが過去に１度も空になっていなければ全てのビットが出荷時の「１」に設定される一方、１度でも空になると画像形成装置１によって全てのビットが「０」に書き換えられる構成となされている。この実施形態では、画像形成装置１はこの再生情報を読み取り、全てのビットが「１」であった場合は、当該トナーカートリッジは純正品であると判定し、また全てのビットが「０」であった場合には、一旦空になったトナーカートリッジに、第三者により製造されたトナーが充填されて再装着されたものと考えられることから、当該トナーカートリッジは非純正品であると判定する。
【００５０】
アドレス４０Ｈ〜５ＦＨの記憶領域は、画像形成装置１が自由に書き込み可能な領域（ＲＡＭ領域）であり、画像形成装置の制御についての情報が書き込まれている。
【００５１】
アドレス６０Ｈ〜７ＦＨの記憶領域も、画像形成装置１が自由に書き込み可能な領域（ＲＡＭ領域）であり、作像部３等のエンジンについての情報が書き込まれている。
【００５２】
なお、イメージングユニット１０Ｙ、１０Ｍ、１０Ｃ及び１０Ｋに備えられているメモリチップ２２のメモリマッピングについても、トナーカートリッジのメモリチップ９の場合と同じなので、ここでは説明を省略する。
［画像形成装置１の動作］
次に、図１に示した画像形成装置１の動作を説明する。この実施形態では、ユーザが前扉２１の開閉を行った場合に、画像形成装置１は消耗品ユニットの交換が行われたと判断して、装着された消耗品ユニットが純正品であるか非純正品であるかの判別を行い、非純正品である場合はメモリチップ９に記憶されている印刷動作情報を読み出し、印刷動作の許可/禁止を決定するものとなされている。
【００５３】
なお、以下の例ではトナーカートリッジ８Ｙ、８Ｍ、８Ｃ及び８Ｋについてのみ、純正品であるか非純正品であるかの判別を行うものとして説明するが、イメージングユニット１０Ｙ、１０Ｍ、１０Ｃ及び１０Ｋについてのみ判別を行っても良いし、トナーカートリッジとイメージングユニットの両方について判別を行うものとしても良い。
【００５４】
図４は、ユーザにより前扉２１の開閉が行われてから、印刷動作の許可/禁止が決定されるまでの動作を示すフローチャートである。
【００５５】
ユーザが前扉２１の開閉を行うと、その開閉動作が前扉開閉センサ３１により検知され（ステップＳ５０）、開閉検知信号がエンジン制御部２７に送信される。開閉検知信号を受信したエンジン制御部２７はトナーカートリッジ８Ｙ、８Ｍ、８Ｃ及び８Ｋの各メモリチップ９に格納されている再生情報を読み出し（ステップＳ５１）、ＣＰＵ２６１に再生情報を送出する（ステップＳ５２）。
【００５６】
再生情報を受信したＣＰＵ２６１は、ＲＯＭ２６２等の記録媒体に格納されている制御プログラムに従って次のような動作を行う。即ち、まず、各トナーカートリッジ８Ｙ、８Ｍ、８Ｃ及び８Ｋが純正品か非純正品かの判別を再生情報に基づいて行うと共に、全てが純正品であるか否かの判定を行う（ステップＳ５３）。
【００５７】
すべてが純正品であると判定された場合（ステップＳ５３でＹＥＳ）、ステップＳ５４に進み、印刷動作許可を決定する。
【００５８】
一方、各トナーカートリッジのうち少なくとも一つが非純正品である場合（ステップＳ５３でＮＯ）、操作パネル部３０の表示部にその旨を示す警告画面を表示させる（ステップＳ５５）。
【００５９】
これにより、ユーザは非純正のトナーカートリッジが装着されていることを知ることができる。
【００６０】
次に、ＣＰＵ２６１はエンジン制御部２７を介して、各トナーカートリッジ８Ｙ、８Ｍ、８Ｃ及び８Ｋのメモリチップ９から非純正品に関する印刷動作情報を読み出し（ステップＳ５６）、その印刷動作情報が印刷許可情報か又は印刷制限情報かの判定を行い、１つでも印刷許可情報が含まれているか否かの判定を行う（ステップＳ５７）。
【００６１】
各トナーカートリッジ８Ｙ、８Ｍ、８Ｃ及び８Ｋから読み出した印刷動作情報に１つでも印刷許可情報が含まれている場合には（ステップＳ５７でＹＥＳ）、ステップＳ５４に進み、印刷動作許可の決定を行う。この場合は、純正品の場合と同様に、印刷動作が制限を受けることなく実行される。
【００６２】
一方、全てが印刷制限情報である場合（ステップＳ５７でＮＯ）、ステップＳ５８に進み、印刷動作禁止の決定を行う。
【００６３】
印刷動作の許可または禁止の決定がなされると、エンジン制御部２７はその決定に従って、作像部３を制御し、印刷動作が実行されあるいは禁止される。
【００６４】
このように、この実施形態では、非純正品の消耗品ユニットを用いての印刷動作を許可するか制限するかの決定を、消耗品ユニットが有する印刷動作情報に基づいて行うものとなされている。このため、非純正品の消耗品ユニットを用いての印刷動作が禁止されている国や地域へ画像形成装置を出荷するときは、印刷制限情報を有する消耗品ユニットを装着して出荷し、その後の事情変更により非純正品の消耗品ユニットを用いての印刷動作が許可されたような場合には、印刷許可情報を有する消耗品ユニットを装着するだけで対応でき、以後はこの消耗品ユニットの消耗品を補充したり交換して第三者が非純正品の消耗品ユニットを製作したとしても、そのままこの非純正品の消耗品ユニットを用いて印刷を行うことができる。
【００６５】
つまり、非純正品の消耗品ユニットが装着されると印刷動作を制限する設定を装置側で行う必要はなくなるから、印刷制限情報を有する消耗品ユニットを印刷許可情報を有する消耗品ユニットに変更するだけの簡単な対応で、出荷後に、非純正品の消耗品ユニットに対する印刷動作の制限の解除を容易に行うことができ、出荷先の国や地域の事情変更に容易に対応することができる。
【００６６】
また、製造段階において、画像形成装置として、出荷先に応じて非純正品の消耗品ユニットに対する印刷動作の制限設定を行ったものと行わないものを用意する必要はなくなるから、製造管理が楽になる。
【００６７】
なお、図４に示した実施形態では、各トナーカートリッジ８Ｙ、８Ｍ、８Ｃ及び８Ｋから読み出した印刷動作情報に１つでも印刷許可情報が含まれている場合に、非純正品を用いての印刷動作を許可するものとしたが、２つ以上の印刷許可情報が含まれている場合に許可するものとしても良いし、全てのトナーカートリッジについて印刷許可情報が得られた場合に、許可するものとしても良い。
【００６８】
また、全てのトナーカートリッジから非純正品に関する印刷動作情報を取得するものとしたが、一つのトナーカートリッジについてのみ取得するものとしても良い。例えば、トナーの消費量が他の色と比べて多く一番早く、このため新しいものと取り替えられる可能性が高いと考えられる黒のトナーカートリッジ８Ｋについてのみ、印刷動作情報を取得する構成としても良い。
【００６９】
また、前扉２１の開閉時に消耗品ユニットが純正品かどうかの判別を行う構成としたが、判別のタイミングはこれに限定されることはなく、例えば消耗品ユニットが実際に装着されたときに行う構成としても良い。
【００７０】
また、前記実施形態では、非純正品の消耗品ユニットが装着されていると判別された場合に、メモリチップに記憶されている印刷動作情報を読み出すものとした。しかし、これに限定されず、例えば、純正品か否かの判別前に印刷動作情報をまず読み出し、読み出した印刷動作情報が印刷制限情報である場合にのみ、再生情報を読み出し、消耗品ユニットが純正品であるか否かの判別を行う構成としても良い。
【００７１】
また、前記実施形態では、カートリッジ内のトナーが過去に１度でも空になったか否かを基準として、トナーカートリッジが純正品か非純正品かの判別を行うものとしたが、これに限定されず純正品と非純正品とを判別できるのであれば任意の基準を用いても良い。
【００７２】
また、前記実施形態では、印刷制限情報による非純正品の消耗品ユニットに対する印刷動作の制限として、印刷の禁止を行うものとしたが、これに限定されず、例えば高画質モードでの印刷禁止、両面モードでの印刷禁止、非純正紙への印刷禁止等、実行可能な印刷モードを制限しても良いし、印字スピードを制限する構成であっても良い。
【００７３】
また、前記実施形態では、メモリチップに印刷動作情報として印刷許可情報か印刷制限情報を積極的に書き込むものとしたが、いずれか一方のみ、例えば印刷制限情報のみを書き込み、印刷制限情報が書き込まれていない場合は反射的に印刷許可情報を有しているものと判定しても良い。
【００７４】
また、前記実施形態では、画像形成装置としてＭＦＰを例示したが、本発明は、消耗品ユニットを使用する画像形成装置であれば、複写機やプリンタなどの他の画像形成装置にも適用可能なことは言うまでもない。
【図面の簡単な説明】
【００７５】
【図１】本発明の一実施形態に係る画像形成装置の概略構成を示す図である。
【図２】画像形成装置の要部の電気的構成を示すブロック図である。
【図３】本実施形態で使用されるトナーカートリッジに備えられているメモリチップのアドレスマッピングを示す図である。
【図４】画像形成装置の動作を説明するためのフローチャートである。
【符号の説明】
【００７６】
１・・・画像形成装置
２・・・スキャナ部
３・・・作像部
４・・・給紙部
８Ｙ、８Ｍ、８Ｃ、８Ｋ・・・トナーカートリッジ
９・・・メモリチップ
１０Ｙ、１０Ｍ、１０Ｃ、１０Ｋ・・・イメージングカートリッジ
２１・・・前扉
２２・・・メモリチップ
２６・・・ＭＦＰコントローラ部
２７・・・エンジン制御部
２８・・・記憶部
２９・・・操作パネル部
３０・・・前扉開閉センサ
２６１・        ・・ＣＰＵ
２６２・・・ＲＯＭ
【図１】
2008268455.tif 000003
【図２】
2008268455.tif 000004
【図３】
2008268455.tif 000005
【図４】
2008268455.tif 000006